(57)【要約】【目的】  本発明の目的は、カバー部を上方から吊り上げて基板上に設置するに当たり、ハウジング部のガタつきを防止し、基板上の所定の設置位置に設置することができるフレキシブル基板用コネクタを提供する。【構成】  フレキシブル基板１０が挿入される開口部１１０が幅方向の一端部に設けられたハウジング部１００と、ハウジング部１００の内部に配列されたコンタクト２００と、このコンタクト１００の軸支部２２０に軸支されており且つハウジング部１００の開口部１１０及び幅方向の他端部を開閉可能に覆うカバー部３００と、カバー部３００を開状態で保持する保持手段４００とを具備する。【選択図】      図１
2007165060.tif 000002
【特許請求の範囲】
【請求項１】
フレキシブル基板が挿入される開口部が幅方向の一端部に設けられたハウジング部と、前記フレキシブル基板の下面の接点部に接触される接触部及び当該接触部の上方に位置する軸支部を有しており且つ当該接触部及び軸支部が前記開口部に臨むように前記ハウジング部の内部に配列されたコンタクトと、このコンタクトの軸支部に軸支されており且つ前記ハウジング部の少なくとも開口部を開閉可能に塞ぐカバー部とを備えたフレキシブル基板用コネクタにおいて、
前記カバー部を開状態で保持する保持手段を有したことを特徴とするフレキシブル基板用コネクタ。  
【請求項２】
請求項１記載のフレキシブル基板用コネクタにおいて、前記保持手段は、前記ハウジング部の長さ方向の端部のカバー部対向部位に当該ハウジング部の幅方向に向けて設けられた溝部又は凸脈と、前記カバー部の長さ方向の端部のハウジング部対向部位に当該カバー部の幅方向と交差する方向に向けて設けられた凸脈又は溝部とを有しており、前記凸脈が前記溝部に嵌まり込むと共に、前記カバー部の回動に応じて当該溝部を乗り越え可能になっていることを特徴とするフレキシブル基板用コネクタ。
【請求項３】
請求項２記載のフレキシブル基板用コネクタにおいて、前記ハウジング部のカバー部対向部位及びカバー部のハウジング部対向部位の少なくとも一方が他方から離れる方向に弾性変形可能となっていることを特徴とするフレキシブル基板用コネクタ。
【請求項４】
請求項３記載のフレキシブル基板用コネクタにおいて、前記ハウジング部の長さ方向の端部には弾性変形可能なアーム部が設けられており、このアーム部が前記カバー部対向部位であることを特徴とするフレキシブル基板用コネクタ。
【請求項５】
前記アーム部に前記溝部が設けられた請求項２、３又は４記載のフレキシブル基板用コネクタにおいて、前記コンタクトの軸支部の先端部には前記カバー部の軸棒部を軸支する下向きの凹部が設けられており、
前記溝部の下方の縁部には、前記カバー部の凸脈を当該溝部内に案内すると共に、当該カバー部の軸棒部を前記軸支部の凹部に案内するためのテーパ面が設けられていることを特徴とするフレキシブル基板用コネクタ。
【請求項６】
請求項５記載のフレキシブル基板用コネクタにおいて、前記カバー部は、前記ハウジング部の幅方向の他端部及び開口部の一部を開閉可能に覆うフード部と、このフード部に設けられており且つ前記ハウジング部の開口部の残りの部分を開閉可能に塞ぐ複数の閉塞部と、この複数の閉塞部の間に設けられており且つ前記コンタクトの軸支部に軸支される複数の前記軸棒部とを有したことを特徴とするフレキシブル基板用コネクタ。
【請求項７】
請求項６記載のフレキシブル基板用コネクタにおいて、前記閉塞部は、前記開口部を閉塞した状態で、前記ハウジング部の開口部に挿入されたフレキシブル基板を前記コンタクトの接触部に向けて押圧するようになっていることを特徴とするフレキシブル基板用コネクタ。
【請求項８】
請求項１記載のフレキシブル基板用コネクタにおいて、前記保持手段により開状態で保持された前記カバー部と、前記ハウジング部との間の上下方向に生じる隙間に介在する補強部材を有したことを特徴とするフレキシブル基板用コネクタ。
【発明の詳細な説明】
【技術分野】
【０００１】
本発明はフレキシブル基板が接続されるフレキシブル基板用コネクタに関する。
【背景技術】
【０００２】
従来のフレキシブル基板用コネクタは、フレキシブル基板が挿入可能な開口部を有するハウジング部と、前記開口部に接触部が臨むように前記ハウジング部の内部に配列されたコンタクトと、前記ハウジング部の開口部を開閉可能に塞ぐカバー部とを具備している( 特許文献１参照) 。
【０００３】
【特許文献１】特開平７−１４２１３０号公報
【０００４】
前記フレキシブル基板用コネクタには、前記カバー部が前記コンタクトの前記接触部の上方に位置する軸支部のみにより軸支されるものがある。具体的には、前記カバー部は、その前面に設けられた軸棒部が前記コンタクトの軸支部の先端部に設けられた下向きの凹部に下方から嵌まり込むことにより軸支される。
【発明の開示】
【発明が解決しようとする課題】
【０００５】
ところが、前記カバー部の軸棒部が前記コンタクトの軸支部の下向きの凹部に嵌まり込んでいるだけであることから、前記カバー部を上方から吊り上げて、前記コネクタを基板上に設置するに当たり、前記ハウジング部が上下方向にガタつき( 即ち、不安定となる。) 、前記基板上の所定の設置位置から位置ずれする場合がある。即ち、前記コンタクトの接続部と前記基板上の配線パターンとが位置ずれする場合がある。
【０００６】
本発明は、上記事情に鑑みて創案されたものであって、その目的とするところは、カバー部を上方から吊り上げて基板上に設置するに当たり、ハウジング部のガタつきを防止し、基板上の所定の設置位置に設置することができるフレキシブル基板用コネクタを提供することにある。
【課題を解決するための手段】
【０００７】
上記課題を解決するために、本発明のフレキシブル基板用コネクタは、フレキシブル基板が挿入される開口部が幅方向の一端部に設けられたハウジング部と、前記フレキシブル基板の下面の接点部に接触される接触部及び当該接触部の上方に位置する軸支部を有しており且つ当該接触部及び軸支部が前記開口部に臨むように前記ハウジング部の内部に配列されたコンタクトと、このコンタクトの軸支部に軸支されており且つ前記ハウジング部の少なくとも開口部を開閉可能に塞ぐカバー部とを備えたフレキシブル基板用コネクタであって、前記カバー部を開状態で保持する保持手段を有したことを特徴としている。
【０００８】
前記保持手段は、前記ハウジング部の長さ方向の端部のカバー部対向部位に当該ハウジング部の幅方向に向けて設けられた溝部又は凸脈と、前記カバー部の長さ方向の端部のハウジング部対向部位に当該カバー部の幅方向と交差する方向に向けて設けられた凸脈又は溝部とを有しており、前記凸脈が前記溝部に嵌まり込むと共に、前記カバー部の回動に応じて当該溝部を乗り越え可能になっている。
【０００９】
前記ハウジング部のカバー部対向部位及びカバー部のハウジング部対向部位の少なくとも一方が他方から離れる方向に弾性変形可能となっていることが好ましい。この場合、前記ハウジング部の長さ方向の端部には弾性変形可能なアーム部が設けられており、このアーム部を前記カバー部対向部位とすることができる。
【００１０】
前記アーム部に前記溝部が設けられている場合、前記コンタクトの軸支部の先端部に前記カバー部の軸棒部を軸支する下向きの凹部を設け、前記溝部の下方の縁部に、前記カバー部の凸脈を当該溝部内に案内すると共に、当該カバー部の軸棒部を前記軸支部の凹部に案内するためのテーパ面を設ける。
【００１１】
前記カバー部は、前記ハウジング部の幅方向の他端部及び開口部の一部を開閉可能に覆うフード部と、このフード部に設けられており且つ前記ハウジング部の開口部の残りの部分を開閉可能に塞ぐ複数の閉塞部と、この複数の閉塞部の間に設けられており且つ前記コンタクトの軸支部に軸支される複数の前記軸棒部とを有している。
【００１２】
前記閉塞部は、前記開口部を閉塞した状態で、前記ハウジング部の開口部に挿入されたフレキシブル基板を前記コンタクトの接触部に向けて押圧するような形状とすることができる。
【００１３】
前記フレキシブル基板用コネクタは、前記保持手段により開状態で保持された前記カバー部と、前記ハウジング部との間の上下方向に生じる隙間に介在する補強部材を更に有した構成とすることができる。
【発明の効果】
【００１４】
本発明の請求項１に係るフレキシブル基板用コネクタによる場合、保持手段によりカバー部を開状態で保持することができるので、当該カバー部を上方から吊り上げて前記コネクタを基板上に設置するに当たり、当該コネクタのハウジング部がガタつくことがなく、安定して基板に設置することができる。このため、当該コネクタを前記基板の所定の設置位置に設置することができる。
【００１５】
本発明の請求項２に係るフレキシブル基板用コネクタによる場合、前記ハウジング部の長さ方向の端部のカバー部対向部位に当該ハウジング部の幅方向に向けて設けられた溝部又は凸脈が、前記カバー部の長さ方向の端部のハウジング部対向部位に当該カバー部の幅方向と交差する方向に向けて設けられた凸脈又は溝部に嵌まり込むことにより、前記カバー部が開状態で保持されるようになっている。また、前記カバー部は、前記凸脈が前記溝部を乗り越えることにより回動させることができるようになっている。即ち、前記凸脈及び溝部により、前記カバー部を開状態でロック( 保持) し、且つ当該ロックを簡単に解除できるようになっている。このため、前記コネクタを基板に設置し実装した後に、前記カバー部を回動させる負荷により前記コネクタの実装が外れることを防止することができる。
【００１６】
本発明の請求項３に係るフレキシブル基板用コネクタによる場合、前記ハウジング部のカバー部対向部位及びカバー部のハウジング部対向部位の少なくとも一方が他方から離れる方向に弾性変形可能となっているので、前記カバー部の開状態のロックをより簡単に解除することができる。
【００１７】
本発明の請求項４に係るフレキシブル基板用コネクタによる場合、前記ハウジング部の長さ方向の端部に設けたアーム部が前記カバー部対向部位となっているので、前記カバー部の前記凸脈又は溝部を、当該アーム部の前記溝部又は凸脈に嵌まり込ませ易くなる。従って、前記カバー部の取り付けが簡単になる。
【００１８】
本発明の請求項５に係るフレキシブル基板用コネクタによる場合、前記アーム部の溝部の下方の縁部にはテーパ面が設けられており、当該テーパ面により前記カバー部の凸脈を当該溝部内に案内すると共に、当該カバー部の軸棒部を前記軸支部の凹部に案内するようになっている。このため、前記カバー部の前記ハウジング部への取り付けが簡単になる。      
【００１９】
本発明の請求項６に係るフレキシブル基板用コネクタによる場合、前記カバー部の閉塞部が前記ハウジング部の開口部の残りの部分を塞ぐと共に、当該カバー部のフード部が当該ハウジング部の幅方向の他端部及び開口部の一部を覆うようになっているので、前記ハウジング部の内部に塵や埃が侵入するのを防止することができる。
【００２０】
本発明の請求項７に係るフレキシブル基板用コネクタによる場合、前記カバー部の閉塞部が前記開口部を閉塞した状態で挿入されたフレキシブル基板に当接し、当該フレキシブル基板の接点部を前記コンタクトの接点部に押圧するようになっている。このため、前記フレキシブル基板と前記コンタクトとの安定した電気接続を図ることができる。
【００２１】
本発明の請求項８に係るフレキシブル基板用コネクタによる場合、前記保持手段により開状態で保持された前記カバー部と、前記ハウジング部との間の上下方向に生じる隙間に補強部材を介在させるようにしたので、当該コネクタを基板に設置する際の前記ハウジング部のガタツキを一層防止することができる。よって、前記コネクタをより安定して基板に設置することができる。
【発明を実施するための最良の形態】
【００２２】
以下、本発明の実施の形態に係るフレキシブル基板用コネクタを図面を参照しながら説明する。図１は本発明の実施の形態に係るフレキシブル基板用コネクタを示す図であって、( ａ) がカバー部が開状態の正面図、( ｂ）がカバー部が開状態の側面図、図２は同コネクタのＡ−Ａ断面図であって、( ａ) がカバー部の開状態を示す図、( ｂ) がカバー部の閉状態を示す図、図３は同コネクタの概略的分解斜視図、図４は同コネクタの図１のＢ部の拡大図、図５は同コネクタのカバー部の取り付け工程を示すＡーＡ断面図、図６は同コネクタの補強部材の取り付け工程を示すＣーＣ断面図である。
【００２３】
図１及び図２に示すフレキシブル基板用コネクタは、フレキシブル基板１０が挿入される開口部１１０が幅方向の一端部に設けられたハウジング部１００と、ハウジング部１００の内部に配列されたコンタクト２００と、このコンタクト２００の軸支部２２０に軸支されており且つハウジング部１００の開口部１１０及び幅方向の他端部を開閉可能に覆うカバー部３００と、カバー部３００を開状態で保持する保持手段４００と、カバー部３００の保持状態を維持するための補強部材５００とを具備している。以下、各部を詳しく説明する。
【００２４】
ハウジング部１００は、図２及び図３に示すように、幅方向の一端側の上端部が除去された略矩形状の樹脂製品であって、前記除去部分が開口部１１０をなす。このハウジング部１００の内部には、開口部１１０から幅方向の他端面を貫通する複数のスリット１２０が長さ方向に所定間隔を空けて設けられている。
【００２５】
また、ハウジング部１００の長さ方向の両端部には、幅方向の一端側に一対のアーム部１３０が、幅方向の他端側にカバー部３００を閉状態で係止するための係止爪１４０が設けられている。アーム部１３０は、上方に向けて延び且つ前記長さ方向に弾性変形可能な部位であって、その先端部が開口部１１０の側方に臨むようになっている。詳しくは後述するが、カバー部３００がコンタクト２００の軸支部２２０に軸支された開状態で、一対のアーム部１３０の間に位置する。即ち、アーム部１３０がカバー部対向部位となっている。
【００２６】
また、ハウジング部１００の長さ方向の両端部のアーム部１３０の内側部位には、上方に凸の台部１５０と、この台部１５０の内側に位置する挿入口１６０とが設けられている。
【００２７】
コンタクト２００は、図２及び図３に示すように、銅合金等の導電性を有する素材で構成された部品であって、ハウジング部１００のスリット１２０に嵌まり込む基部２０１と、この基部２０１の一端側の下端部に設けられた接触部２１０と、基部２０１の一端側の上端部に設けられた軸支部２２０と、基部２０１の他端側の下端部に設けられた接続部２３０とを有する。
【００２８】
接触部２１０は下方に湾曲しつつフレキシブル基板１０の抜脱方向に延びた弾性を有するアームであって、その先端部に上方に凸の突起部２１１が設けられている。この突起部２１１がフレキシブル基板１０の下面の接点部に接触する。軸支部２２０は抜脱方向に直線状に延びており且つ接触部２１０の上方に位置するアームであって、その先端部に下向きの凹部２２１が設けられている。この凹部２２１がカバー部３００の軸棒部３３０を軸支する。接触部２１０及び軸支部２２０は、基部２０１がハウジング部１００のスリット１２０に嵌まり込んだ状態で、当該ハウジング部１００の開口部１１０に臨む。
【００２９】
接続部２３０は、図示しない基板の配線パターンと半田接続される略Ｌ字状の端子部であって、その下端部がハウジング部１００のスリット１２０の他端側からハウジング部１００の底面より下方に突出している。
【００３０】
カバー部３００は、図２及び図３に示すように、ハウジング部１００の幅方向の他端部及び開口部１１０の上方の一部を開閉可能に覆うフード部３１０と、このフード部３１０に設けられており且つハウジング部１００の開口部１１０の前面部分を開閉可能に塞ぐ複数の閉塞部３２０と、この複数の閉塞部３２０の間に設けられており且つコンタクト２００の軸支部２２０に軸支される複数の軸棒部３３０とを有した樹脂製品である。
【００３１】
フード部３１０は、図３に示すように、長さ方向の両端部の幅方向の一端側の部位が、カバー部３００の回動の際に、ハウジング部１００のアーム部１３０との干渉を避けるために切り欠かれている( 以下、当該部位を切欠き部３１１と称する。) 。また、フード部３１０の長さ方向の両端部の切欠き部３１１の内側には、一対の凸部３１２が幅方向に向けて設けられている。更に、フード部３１０の内面には、図２( ａ) に示すように、ハウジング部１００の一対の係止爪１４０を係止する一対の係止部３１３が設けられている。このフード部３１０の幅方向の他端面は、図示しない搬送装置により吸着される平坦な吸着面３１４となっている。
【００３２】
閉塞部３２０は、図２に示すように、フード部３１０の幅方向の一端部に連なる断面視略矩形状の板状体であって、その先端面３２１が平らにされている。この先端面３２１がカバー部３００の回動に応じてフレキシブル基板１０に上方から当接し、当該フレキシブル基板１０をコンタクト２００の接触部２１０に向けて押圧する。
【００３３】
軸棒部３３０は、閉塞部３２０の間を繋ぐように設けられた円柱体であって、コンタクト２００の軸支部２２０の凹部２２１に下方から嵌まり込む。このようにしてカバー部３００がコンタクト２００の軸支部２２０に回動自在に軸支される。なお、閉塞部３２０の間に軸棒部３３０が介在しているため、当該閉塞部３２０はハウジング部１００の開口部１１０を完全に閉塞するものではないが、ここでは当該状態で閉塞しているものとする。
【００３４】
保持手段４００は、図３及び図４に示すように、ハウジング部１００の一対のアーム部１３０の先端部の内面に当該ハウジング部１００の幅方向に向けて設けられた一対の溝部４１０と、カバー部３００のフード部３１０の切欠き部３１１にカバー部３００の幅方向と直交する方向に向けて設けられた一対の凸脈４２０とを有する。この凸脈４２０が溝部４１０に嵌まり込むことにより、カバー部３００を開状態でロックする( 即ち、保持する) 。また、凸脈４２０の高さ寸法及び溝部４１０の深さ寸法は、凸脈４２０がカバー部３００の回動に応じて溝部４１０を乗り越え可能な程度に設定されている。即ち、前記ロックが容易に解除できるようになっている。
【００３５】
溝部４１０は、アーム部１３０の先端部の内面から内側に向けて凸設された一対のリブ４１１、４１２( これが溝部４１０の縁部となる。) の間に形成される。この一対のリブ４１１、４１２のうち下段のリブ４１２には、その幅方向の一端部から中央部にかけて暫減するテーパ面４１２ａが設けられている。このテーパ面４１２ａは、凸脈４２０を溝部４１０内に案内すると共に、当該凸脈４２０が設けられたカバー部３００の軸棒部３３０をコンタクト２００の軸支部２２０の凹部２２１に案内する案内面として機能する。
【００３６】
補強部材５００は、図１及び図３に示すように、ハウジング部１００の挿入口１６０に嵌まり込む板状の嵌合部５１０と、この嵌合部５１０の幅方向の一端の中央部に設けられた第１の鉤部５２０と、嵌合部５１０の幅方向の他端の中央部に第１の鉤部５２０と同方向に向けて設けられた第２の鉤部５３０とを有する。
【００３７】
第１の鉤部５２０は、嵌合部５１０と連なる基礎部５２１と、この基礎部５２１から直角に湾曲した補強部５２２とを有する。補強部５２２は、嵌合部５１０がハウジング部１００の挿入口１６０に嵌まり込んだ状態で、当該ハウジング部１００の台部１５０と、カバー部３００の凸部３１２との間( 即ち、ハウジング部１００とカバー部３００との間の上下方向に生じる隙間) に介在する。
【００３８】
第２の鉤部５３０は、嵌合部５１０と連なる基礎部５３１と、この基礎部５３１から略直角に湾曲した支持部５３２とを有する。支持部５３２は、嵌合部５１０がハウジング部１００の挿入口１６０に嵌まり込んだ状態で、当該ハウジング部１００のアーム部１３０の底面に沿う。
【００３９】
この支持部５３２の厚み寸法は、コンタクト２００の接続部２３０のハウジング部１００の底面から突出した部分の高さ寸法と略同じになっている。これにより、ハウジング部１００を前記基板上に載置した際に、当該ハウジング部１００がぐらつくのを防止することができる。
【００４０】
以下、このようなフレキシブル基板用コネクタの組立工程、前記基板への実装工程及びフレキシブル基板１０の取付工程について詳しく説明する。
【００４１】
まず、ハウジング部１００のスリット１２０にコンタクト２００を挿入する。そして、図５に示すように、カバー部３００の凸脈４２０をハウジング部１００の溝部４１０に挿入する。このとき、溝部４１０の下段のリブ４１２のテーパ面４１２ａにより、凸脈４２０が当該溝部４１０内に案内されると共に、カバー部３００の軸棒部３３０がコンタクト２００の軸支部２２０の凹部２２１に案内される。これにより、凸脈４２０が溝部４１０に嵌まり込み、カバー部３００が開状態でハウジング部１００に保持( ロック) されると共に、カバー部３００の軸棒部３３０がコンタクト２００の軸支部２２０の凹部２２１に下方から嵌まり込み、軸支される。
【００４２】
その後、図６に示すように、補強部材５００の嵌合部５１０をハウジング部１００の挿入口１６０に挿入する。すると、補強部材５００の第１の鉤部５２０の補強部５２２がハウジング部１００の台部１５０とカバー部３００の凸部３１２との間に介在すると共に、当該補強部材５００の第２の鉤部５３０の支持部５３２がハウジング部１００のアーム部１３０の底面に沿うように配置される( 図１参照) 。
【００４３】
このようにして組み立てられたフレキシブル基板用コネクタは図示しない搬送装置によりカバー部３００のフード部３１０の吸着面３１４が吸着され、前記基板( 当該基板はリフロー機内に配置されている。) 上に搬送される。そして、前記フレキシブル基板用コネクタのコンタクト２００の接続部２３０と前記基板の配線パターンとを位置合わせしつつ、当該コネクタを当該基板上に設置する。
【００４４】
このとき、カバー部３００の凸脈４２０がハウジング部１００の溝部４１０に嵌まり込むと共に、補強部材５００の第１の鉤部５２０の補強部５２２がハウジング部１００の台部１５０とカバー部３００の凸部３１２との間に介在しているので、搬送時にハウジング部１００がガタつくことがない。また、補強部材５００の支持部５３２の厚み寸法と、コンタクト２００の接続部２３０のハウジング部１００の底面から突出した部分の高さ寸法とが略同じになっているので、前記基板上に設置された際にぐらつくことがない。
【００４５】
前記フレキシブル基板用コネクタが前記基板上に設置されると、前記リフロー機により半田リフローを行い、コンタクト２００の接続部２３０と前記基板の配線パターンとを半田接続する。これにより、前記コネクタが前記基板に実装される。
【００４６】
このとき、カバー部３００は上述の如く開状態でロックされているので、ハウジング部１００内にリフロー熱が遮られ、うまく半田接続ができないというようなことを防止することができる。
【００４７】
このように前記フレキシブル基板用コネクタが前記基板に実装された後、ハウジング部１００の開口部１１０にフレキシブル基板１０を挿入する。
【００４８】
その後、カバー部３００を回動させると、図４に示すように、凸脈４２０により溝部４１０の一対のリブ４１１、４１２が押圧され、アーム部１３０が外側( 即ち、カバー部３００から離れる方向) に弾性変形する。これと共に、凸脈４２０が溝部４１０を乗り越える。
【００４９】
すると、保持手段４００( 凸脈４２０及び溝部４１０) によるロックが解除され、カバー部３００がコンタクト２００の軸支部２２０に軸支された軸棒部３３０を軸に回動する。そして、カバー部３００のフード部３１０がハウジング部１００の幅方向の他端部及び開口部１１０の上方の一部を覆うと共に、当該カバー部３００の閉塞部３２０が開口部１１０の前面部分( 残りの部分) を覆う。これと共に、閉塞部３２０の先端面３２１が挿入されたフレキシブル基板１０を上方から当接し、当該フレキシブル基板１０の接点部をコンタクト２００の接触部２１０の突起部２１１に押圧させる。すると、接触部２１０が下方に弾性変形する。このようにしてフレキシブル基板１０の接点部とコンタクト２００の接触部２１０との所定の接触圧を確保することにより、両者の安定した電気接続を図っている。
【００５０】
このようなフレキシブル基板用コネクタによる場合、カバー部３００の凸脈４２０をハウジング部１００の溝部４１０に嵌まり込ませると共に、補強部材５００の第１の鉤部５２０の補強部５２２をハウジング部１００の台部１５０とカバー部３００の凸部３１２との間に介在させるようになっているので、前記搬送装置によりカバー部３００を上方から吸着して前記基板上に設置するに当たり、ハウジング部１００がガタつくを防止することができる。このため、当該コネクタを安定して前記基板上の所定の設置位置に設置することができ、設置の際にコンタクト２００の接続部２３０と当該基板の配線パターンとにズレが生じる等の不具合が生じるのを防止することができる。
【００５１】
なお、このフレキシブル基板用コネクタのハウジング部１００については、幅方向の一端部に開口部を有し且つ内部に複数のコンタクトを長さ方向に並べて配列し得るものである限りどのようなものであってもかまわない。即ち、その形状や構成される素材等は任意に設定可能である。
【００５２】
コンタクト２００については、ハウジング部１００の内部に長さ方向に沿って配列でき且つ接触部及び軸支部を上下に並べて有していれば良い。接続部２３０については、基板との接続を容易にするため、設けられていることが望ましいが、ケーブル等で代用することが可能である。接触部２１０については、基板の接点部に接触可能であれば良く、突起部２１１を設けなくても良い。軸支部２２０については、カバー部３００を軸支できるものであればどのようなものであっても良い。
【００５３】
カバー部３００については、塵や埃が侵入するのを防止するため、ハウジング部１００の他端部等を覆うことが望ましいが、ハウジング部１００の開口部１１０を開閉可能に塞ぐことができるものであれば良く、その形状は任意に設計変更可能である。また、カバー部３００はコンタクト２００の軸支部２２０に軸支されるとしたが、ハウジング部１００に軸支されるようにすることも可能である。この場合、保持手段４００及び補強部材５００により、基板に設置する際に、ハウジング部１００がカバー部３００の軸を軸に揺れるのを防止することができ、安定した設置が可能になる。なお、軸支部２２０及びハウジング部１００双方の軸支構造を取ることも当然可能である。
【００５４】
保持手段４００については、前記カバー部を開状態で保持し得るものであれば良い。従って、ハウジング部の長さ方向の端部にカバー部を付勢する付勢手段等を設け、この付勢手段の付勢力によりカバー部のガタツキを防止するようにしても良し、ハウジング部及びカバー部にピン等を取り付け、前記ガタツキを防止するようにしても良い。
【００５５】
溝部４１０、凸脈４２０については、凹部、突起等により代用可能である。この溝部４１０はハウジング部のカバー部対向部位又はカバー部のハウジング部対向部位に設けられていれば良い。同様に、凸脈４２０はカバー部のハウジング部対向部位又はハウジング部のカバー部対向部位に設けられていれば良い。即ち、ハウジング部１００のアーム部１３０に凸脈４２０を、カバー部３００の切欠き部３１１に溝部４１０を設けるようにしても良い。
【００５６】
前記ハウジング部対向部位及びハウジング部のカバー部対向部位はいずれが外側に位置するか任意に設計変更可能である。即ち、カバー部３００の凸部３１２を外側に位置させ、ハウジング部１００のアーム部１３０を内側に位置させるようにしても良い。
【００５７】
また、前記ハウジング部のカバー部対向部位及びカバー部のハウジング部対向部位ついては、アーム部１３０の如く溝部４１０と凸脈４２０とのロックを解除し易くするために、少なくとも一方が他方から離れる方向に弾性変形可能となっていることが好ましいが、弾性変形可能とするか否かは任意である。前記ハウジング部のカバー部対向部位及びカバー部のハウジング部対向部位のうち内側に位置する部位を弾性変形可能とする場合には、フレキシブル基板１０を挿入した状態で、フレキシブル基板１０に干渉しないように隙間を設けておくようにする。
【００５８】
溝部４１０については、一対のリブ４１１、４１２の間に形成されるとしたが、リブ４１１、４１２ではなく、当該溝部４１０の形成部位に溝を掘るようにしても良いことはいう迄もない。なお、テーパ面４１２ａについては、設けるか否かは任意である。
【図面の簡単な説明】
【００５９】
【図１】本発明の実施の形態に係るフレキシブル基板用コネクタを示す図であって、( ａ) がカバー部が開状態の正面図、( ｂ）がカバー部が開状態の側面図である。
【図２】同コネクタのＡ−Ａ断面図であって、( ａ) がカバー部の開状態を示す図、( ｂ) がカバー部の閉状態を示す図である。
【図３】同コネクタの概略的分解斜視図である。
【図４】同コネクタの図１のＢ部の拡大図である。
【図５】同コネクタのカバー部の取り付け工程を示すＡーＡ断面図同である。
【図６】コネクタの補強部材の取り付け工程を示すＣーＣ断面図である。
【符号の説明】
【００６０】
１０      フレキシブル基板
１００    ハウジング部
１１０    開口部
１３０    アーム部( カバー部対向部位) 
２００    コンタクト
２１０    接触部
２２０    軸支部
２２１    凹部
３００    カバー部
３１０    フード部
３１１    切欠き部( ハウジング部対向部位) 
３２０    閉塞部
３３０    軸棒部
４００    保持手段
４１０    溝部
４１１    上段のリブ( 縁部) 
４１２    下段のリブ( 縁部) 
４１２ａ  テーパ面
４２０    凸脈
５００    補強部材
【図１】
2007165060.tif 000003
【図２】
2007165060.tif 000004
【図３】
2007165060.tif 000005
【図４】
2007165060.tif 000006
【図５】
2007165060.tif 000007
【図６】
2007165060.tif 000008